(57)【要約】      （修正有）【課題】仕切り板が本来の位置から傾いたり歪みが生ずることを低減でき、保管スペースを低減できるとともに収納時・保管時の際の組み立て・折り畳み作業の作業性を向上させることのできる包装箱の中仕切りを提供する。【解決手段】中仕切り１は、横仕切り板１０と縦仕切り板５０を備えている。縦仕切り板５０の第一差し込み用切り欠き５８ａは、横仕切り板１０を第二折り目線２２において折りたたんだ状態で横仕切り板１０の第一切り欠き２４と互いに挿嵌可能であり、縦仕切り板５０の第二差し込み用切り欠き６２ａは、横仕切り板１０を第一折り目線２２及び第二折り目線３２においてそれぞれ９０°の角度に折り曲げた状態で横仕切り板１０の第二切り欠きと互いに挿嵌可能であり、横仕切り板１０の第一仕切り片２０と第二仕切り片３０とを連結する底板４０、４１とが備えられている。【選択図】図８
0003234743.tif 000002
【実用新案登録請求の範囲】
【請求項１】
相互に組み合わされる横仕切り板と縦仕切り板により上下方向に沿って仕切られる複数の区画が構成される包装箱の中仕切りであって、
前記横仕切り板には、第一仕切り片と第二仕切り片と、これらの第一仕切り片及び第二仕切り片を連結する底板とが備えられ、前記第一仕切り片は前記底板に対して第一折り目線を介して連設され、前記第二仕切り片は前記底板に対して第二折り目線を介して連設され、前記第一折り目線と前記第二折り目線は平行に形成され、
前記第一仕切り片には前記第一折り目線に対する垂直方向に沿うとともに前記第一折り目線側又は前記第一折り目線と反対側が開口された第一切り欠きが形成され、前記第二仕切り片には前記第二折り目線に対する垂直方向に沿うとともに前記第二折り目線側又は前記第二折り目線と反対側が開口された第二切り欠きが形成され、
前記第一切り欠き及び前記第二切り欠きは、前記横仕切り板が前記第一折り目線又は前記第二折り目線において折りたたまれた状態で、相互に少なくとも一部が直線状に重なり合う形状に設けられ、
前記縦仕切り板には、上下方向に沿って形成された第一差し込み用切り欠きと第二差し込み用切り欠きが備えられ、
前記第一差し込み用切り欠きは、前記横仕切り板を前記第一折り目線において折りたたんだ状態で前記横仕切り板の前記第一切り欠きと互いに挿嵌可能であり、前記第二差し込み用切り欠きは、前記横仕切り板を前記第一折り目線及び前記第二折り目線においてそれぞれ９０°の角度に折り曲げた状態で前記横仕切り板の前記第二切り欠きと互いに挿嵌可能である包装箱の中仕切り。
【請求項２】
前記横仕切り板の前記第一仕切り片及び前記第二仕切り片は、同一の幅の矩形状に形成されている請求項１に記載の包装箱の中仕切り。
【請求項３】
前記縦仕切り板の両側辺は、前記縦仕切り板の底辺に対して垂直に形成された請求項１又は請求項２に記載の包装箱の中仕切り。
【請求項４】
前記底板は、前記第一仕切り片及び前記第二仕切り片の少なくとも両側に設けられた請求項１から請求項３のいずれかに記載の包装箱の中仕切り。
【請求項５】
前記縦仕切り板の前記第一差し込み用切り欠きの上端から前記第二差し込み用切り欠きの下端にかけて、その上端が下り傾斜となるとともに前記横仕切り板の前記第二仕切り片の前記第二差し込み用切り欠き内に挟み込まれて、前記第二仕切り板のスライド動作を支持するスライド支持片が形成された請求項１から請求項４のいずれかに記載の包装箱の中仕切り。
【請求項６】
前記スライド支持片の上端は側面視が円弧状に形成されている請求項５に記載の包装箱の中仕切り。
【請求項７】
前記横仕切り板は複数備えられている請求項１から請求項６のいずれかに記載の包装箱の中仕切り。
【請求項８】
前記縦仕切り板は複数備えられている請求項１から請求項７のいずれかに記載の包装箱の中仕切り。
【請求項９】
相互に組み合わされる横仕切り板と縦仕切り板により上下方向に沿って仕切られる複数の区画が構成される包装箱の中仕切りであって、
前記横仕切り板には、第一仕切り片と第二仕切り片と、これらの第一仕切り片及び第二仕切り片を連結する底板とが備えられ、前記第一仕切り片は前記底板に対して第一折り目線を介して連設され、前記第二仕切り片は前記底板に対して第二折り目線を介して連設され、前記第一折り目線と前記第二折り目線は平行に形成され、
前記第一仕切り片には前記第一折り目線に対する垂直方向に沿うとともに前記第一折り目線側又は前記第一折り目線と反対側が開口された第一切り欠きが形成され、前記第二仕切り片には前記第二折り目線に対する垂直方向に沿うとともに前記第二折り目線側又は前記第二折り目線と反対側が開口された第二切り欠きが形成され、
前記第一切り欠き及び前記第二切り欠きは、前記横仕切り板が前記第一折り目線又は前記第二折り目線において折りたたまれた状態で、相互に少なくとも一部が直線状に重なり合う形状に設けられ、
前記縦仕切り板には、上下方向に沿って形成された第一差し込み用切り欠きと第二差し込み用切り欠きが備えられ、
前記第一差し込み用切り欠きは、前記横仕切り板を前記第一折り目線において折りたたんだ状態で前記横仕切り板の前記第一切り欠きと互いに挿嵌可能であり、前記第二差し込み用切り欠きは、前記横仕切り板を前記第一折り目線及び前記第二折り目線においてそれぞれ９０°の角度に折り曲げた状態で前記横仕切り板の前記第二切り欠きと互いに挿嵌可能であり、
前記横仕切り板の前記第一仕切り片及び前記第二仕切り片は、同一の幅の矩形状に形成され、
前記縦仕切り板の両側辺は、前記縦仕切り板の底辺に対して垂直に形成され、
前記底板は、前記第一仕切り片及び前記第二仕切り片の少なくとも両側に設けられ、
前記縦仕切り板の前記第一差し込み用切り欠きの上端から前記第二差し込み用切り欠きの下端にかけて、その上端が下り傾斜となるとともに前記横仕切り板の前記第二仕切り片の前記第二差し込み用切り欠き内に挟み込まれて、前記第一仕切り片は前記第一差し込み用切り欠きにはめ込んだまま、前記第一仕切り片の下端を支点として回転させるように前記第二仕切り片を展開するスライド動作 を支持するスライド支持片が形成され、
前記スライド支持片の上端は側面視が円弧状に形成される包装箱の中仕切り。
【考案の詳細な説明】
【技術分野】
【０００１】
本考案は、段ボール製の包装箱等に使用する包装箱の中仕切りに関する。
【背景技術】
【０００２】
従来から、段ボール製の包装箱に使用する包装箱の中仕切りが知られている。このような中仕切りは、例えば図３３に示されるように、複数のブランク（横仕切り板７２及び縦仕切り板７４）を組み合わせて平面視において多数の区画Ｋ（この従来例においては１０個の区画Ｋ）を設けるように構成されている。そして、このような中仕切り７０が包装箱本体に挿入され、それぞれの区画Ｋ内に各種の製品等の収容物を収容し、包装箱本体を梱包して搬送や保管をするように用いられている（特許文献１参照）。
【先行技術文献】
【特許文献】
【０００３】
【特許文献１】実公平０４−００９３０６号公報（第１図等）
【考案の概要】
【考案が解決しようとする課題】
【０００４】
前述したような従来の中仕切り７０では、以下のような問題が生じていた。図３３に示されるように、中仕切り７０の各横仕切り板７２は縦仕切り板７４に対して直線状の各接合部のみで固定されているので、各横仕切り板７２は縦仕切り板７４に対して揺動可能な状態でしか固定されていない。よって、中仕切り７０の上方から見て、縦仕切り板７４に対して横仕切り板７２が左右に傾いてしまうことがある。このため、各区画Ｋの平面視空間が、主要物を収容する際に必要とされる本来の形状を保持できておらず、収容物を適切に収容する作業に支障を生ずることがある。特に近年、ロボットにより収容物を自動的に収容する際には、本来収容する予定の区画の位置から横仕切り板７２がずれてしまった状態でロボットが収容作業を行うことがあるため、この問題が顕著に生ずる。また一方で、収容物を収容後に、収容物の重みや搬送中の衝撃等による収容物の接触により、中仕切り７０の上方から見て、横仕切り板７２自体が曲がって歪んでしまうおそれもある。このような場合には、収容物の適切な取り出し作業に支障を生ずることがある。この点においても特に近年、ロボットにより収容物を自動的に取り出す際に、本来取り出すべき位置に収容物が配置されていないためロボットが収容物を適切に把持等することが困難になり、この問題が顕著に生ずる。
【０００５】
本考案は、前述した従来の包装箱の中仕切りの問題点を解決するものであり、仕切り板が本来の位置から傾いたり歪みが生ずることを低減することのできる一方、容易に折りたたむことができるので、保管スペースを低減できるとともに収納時・保管時の際の組み立て・折り畳み作業の作業性を向上させることのできる包装箱の中仕切りを提供することを目的とする。
【課題を解決するための手段】
【０００６】
前述の目的を達成する手段は、以下のものである。
（１）相互に組み合わされる横仕切り板と縦仕切り板により上下方向に沿って仕切られる複数の区画が構成される包装箱の中仕切りであって、
前記横仕切り板には、第一仕切り片と第二仕切り片と、これらの第一仕切り片及び第二仕切り片を連結する底板とが備えられ、前記第一仕切り片は前記底板に対して第一折り目線を介して連設され、前記第二仕切り片は前記底板に対して第二折り目線を介して連設され、前記第一折り目線と前記第二折り目線は平行に形成され、
前記第一仕切り片には前記第一折り目線に対する垂直方向に沿うとともに前記第一折り目線側又は前記第一折り目線と反対側が開口された第一切り欠きが形成され、前記第二仕切り片には前記第二折り目線に対する垂直方向に沿うとともに前記第二折り目線側又は前記第二折り目線と反対側が開口された第二切り欠きが形成され、
前記第一切り欠き及び前記第二切り欠きは、前記横仕切り板が前記第一折り目線又は前記第二折り目線において折りたたまれた状態で、相互に少なくとも一部が直線状に重なり合う形状に設けられ、
前記縦仕切り板には、上下方向に沿って形成された第一差し込み用切り欠きと第二差し込み用切り欠きが備えられ、
前記第一差し込み用切り欠きは、前記横仕切り板を前記第一折り目線において折りたたんだ状態で前記横仕切り板の前記第一切り欠きと互いに挿嵌可能であり、前記第二差し込み用切り欠きは、前記横仕切り板を前記第一折り目線及び前記第二折り目線においてそれぞれ９０°の角度に折り曲げた状態で前記横仕切り板の前記第二切り欠きと互いに挿嵌可能である包装箱の中仕切り。
【０００７】
横仕切り板を折りたたんだ状態で縦仕切り板に組み付けることができるので、横仕切り板を第一折り目線に沿って折り畳んだ状態で、第一仕切り片と第二仕切り片との両方を縦仕切り板の第一差し込み用切り欠きに挿嵌することができる。よって、この状態では横仕切り板を縦仕切り板に対して折りたたむことでき、横仕切り板と縦仕切り板とを組付けた状態で中仕切り板全体を折りたたむことができる。一方、この状態から、第二仕切り片のみを第一差し込み切り欠きから引き抜き、次いでこの第二仕切り片を第二差し込み用切り欠きに差し込むと、連設された底板を介して相互に保持される第一仕切り片及び第二仕切り片はそれぞれが第一差し込み用切り欠きと第二差し込み用切り欠きにより保持されているので、第一仕切り片及び第二仕切り片は、差し込まれている縦仕切り板に対して、傾きや歪みを防止されるように堅固に保持される。
【０００８】
（２）前記横仕切り板の前記第一仕切り片及び前記第二仕切り片は、同一の幅の矩形状に形成されている（１）に記載の包装箱の中仕切り。
縦仕切り板に組付けられた状態で、第一仕切り片及び第二仕切り片は底板を介して連接されているので、縦仕切り板に対して互いが補強され、傾きや歪みを防止することができる。一方、包装箱は直方体形状であることが一般的であり、上方から見ると矩形状に形成されている。よって、第一仕切り片及び第二仕切り片が同一の幅の矩形状に形成されていると、横仕切り板全体が包装箱の内壁にしっかり接して保持される。したがって、横仕切り板の傾きや歪みをより防止することができる。
【０００９】
（３）前記縦仕切り板の両側辺は、前記縦仕切り板の底辺に対して垂直に形成された（１）又は（２）に記載の包装箱の中仕切り。
よってこの縦仕切り板は、前述の横仕切り板と同様に、立方体状の包装箱の内壁にしっかり接して保持される。したがって、横仕切り板の傾きや歪みをより防止することができる。
【００１０】
（４）前記底板は、前記第一仕切り片及び前記第二仕切り片の少なくとも両側に設けられた（１）から（３）のいずれかに記載の包装箱の中仕切り。
底板が両端部のいずれかに設けられても、少なくとも設けられた側の横仕切り板は傾きや歪みを防止することはできるが、両側に設けることが望ましい。また「両側」としたのは、両側のほぼ全域に設けることの他、「両端」のみに設けることも含める主旨である。
【００１１】
（５）前記縦仕切り板の前記第一差し込み用切り欠きの上端から前記第二差し込み用切り欠きの下端にかけて、その上端が下り傾斜となるとともに前記横仕切り板の前記第二仕切り片の前記第二差し込み用切り欠き内に挟み込まれて、前記第二仕切り板のスライド動作を支持するスライド支持片が形成された（１）から（４）のいずれかに記載の包装箱の中仕切り。
折りたたまれた状態で縦仕切り板の第一差し込み用切り欠きに組付けられている横仕切り板を展開して第二差し込み用切り欠きに横仕切り板の第二仕切り片を差し込む際に、第一仕切り片は第一差し込み用切り欠きにはめ込んだまま、第一仕切り片の下端を支点として回転させるように第二仕切り片を展開することになる。この際に、スライド支持片は、第二仕切り片の第二差し込み用切り欠き内に挟み込まれて、第二仕切り板のスライド動作を支持し、円滑なスライド動作をさせることができる。そしてさらにスライド支持片の上端を第二差し込み用切り欠きの下端にかけて下り傾斜となるように設けておくと、第二仕切り片の第二切り込みの先端がスライド支持片の上端に干渉し難くすることでき、第二仕切り片を円滑に展開することができる。
【００１２】
（６）前記スライド支持片の上端は側面視が円弧状に形成されている（５）に記載の包装箱の中仕切り。
前述のように下り傾斜となるスライド支持片の上端について、第二仕切り片のスライド動作と同様に円弧状とすることにより、スライド支持片の第二差し込み用切り欠きへの干渉をしにくくする一方で、第二仕切り片のスライド動作の際に第二仕切り片をより確実に支持することができるので、第二仕切り片のスライド動作をより円滑かつ確実に行える。
【００１３】
（７）前記横仕切り板は複数備えられている（１）から（６）のいずれかに記載の包装箱の中仕切り。
（８）前記縦仕切り板は複数備えられている（１）から（７）のいずれかに記載の包装箱の中仕切り。
（９）相互に組み合わされる横仕切り板と縦仕切り板により上下方向に沿って仕切られる複数の区画が構成される包装箱の中仕切りであって、
前記横仕切り板には、第一仕切り片と第二仕切り片と、これらの第一仕切り片及び第二仕切り片を連結する底板とが備えられ、前記第一仕切り片は前記底板に対して第一折り目線を介して連設され、前記第二仕切り片は前記底板に対して第二折り目線を介して連設され、前記第一折り目線と前記第二折り目線は平行に形成され、
前記第一仕切り片には前記第一折り目線に対する垂直方向に沿うとともに前記第一折り目線側又は前記第一折り目線と反対側が開口された第一切り欠きが形成され、前記第二仕切り片には前記第二折り目線に対する垂直方向に沿うとともに前記第二折り目線側又は前記第二折り目線と反対側が開口された第二切り欠きが形成され、
前記第一切り欠き及び前記第二切り欠きは、前記横仕切り板が前記第一折り目線又は前記第二折り目線において折りたたまれた状態で、相互に少なくとも一部が直線状に重なり合う形状に設けられ、
前記縦仕切り板には、上下方向に沿って形成された第一差し込み用切り欠きと第二差し込み用切り欠きが備えられ、
前記第一差し込み用切り欠きは、前記横仕切り板を前記第一折り目線において折りたたんだ状態で前記横仕切り板の前記第一切り欠きと互いに挿嵌可能であり、前記第二差し込み用切り欠きは、前記横仕切り板を前記第一折り目線及び前記第二折り目線においてそれぞれ９０°の角度に折り曲げた状態で前記横仕切り板の前記第二切り欠きと互いに挿嵌可能であり、
前記横仕切り板の前記第一仕切り片及び前記第二仕切り片は、同一の幅の矩形状に形成され、
前記縦仕切り板の両側辺は、前記縦仕切り板の底辺に対して垂直に形成され、
前記底板は、前記第一仕切り片及び前記第二仕切り片の少なくとも両側に設けられ、
前記縦仕切り板の前記第一差し込み用切り欠きの上端から前記第二差し込み用切り欠きの下端にかけて、その上端が下り傾斜となるとともに前記横仕切り板の前記第二仕切り片の前記第二差し込み用切り欠き内に挟み込まれて、前記第一仕切り片は前記第一差し込み用切り欠きにはめ込んだまま、前記第一仕切り片の下端を支点として回転させるように前記第二仕切り片を展開するスライド動作を支持するスライド支持片が形成され、
前記スライド支持片の上端は側面視が円弧状に形成される包装箱の中仕切り。
【考案の効果】
【００１４】
本考案の包装箱の中仕切りでは、縦仕切り板の第一差し込み用切り欠きは、横仕切り板を第二折り目線において折りたたんだ状態で横仕切り板の第一切り欠きと互いに挿嵌可能であり、縦仕切り板の第二差し込み用切り欠きは、横仕切り板を第一折り目線及び第二折り目線においてそれぞれ９０°の角度に折り曲げた状態で横仕切り板の第二切り欠きと互いに挿嵌可能であり、また、横仕切り板の第一仕切り片と第二仕切り片とを連結する底板とが備えられているので、仕切り板が本来の位置から傾いたり歪みが生ずることを低減することのできる一方、容易に折りたたむことができるので、保管スペースを低減できるとともに、収納時・保管時の際の組み立て・折り畳み作業の作業性を向上させることができる。
【図面の簡単な説明】
【００１５】
【図１】図１は、本考案の包装箱の中仕切りの斜視図である。
【図２】図２は、図１の中仕切りの横仕切りの斜視図である。
【図３】図３は、図１の中仕切りの縦仕切り板の斜視図である。
【図４】図４は、横仕切り板が折りたたまれた状態で縦仕切り板に組付けられている図１の中仕切りの透視斜視図である。
【図５】図５は、横仕切り板が折りたたまれた状態で縦仕切り板に組付けられている図１の中仕切りの透視側面図である。
【図６】図６は、折りたたまれた状態の横仕切り板を縦仕切り板に対して折りたたむ際の図１の中仕切りの透視斜視図である。
【図７】図７は、横仕切り板を縦仕切り板に対して折りたたんだ状態の図１の中仕切りの透視斜視図である。
【図８】図８は、折りたたまれた状態の横仕切り板の第二仕切り片を展開する際の図１の中仕切りの透視斜視図である。
【図９】図９は、折りたたまれた状態の横仕切り板の第二仕切り片を展開する際の図１の中仕切りの透視側面図である。
【図１０】図１０は、横仕切り板の第二仕切り片を展開し、使用状態となった図１の中仕切りの透視斜視図である。
【図１１】図１１は、横仕切り板の第二仕切り片を展開し、使用状態となった図１の中仕切りの透視側面図である。
【図１２】図１２は、図１の中仕切りの横仕切りの平面図である。
【図１３】図１３は、図１の中仕切りの２つの横仕切りを折りたたんだ状態の斜視図である。
【図１４】図１４は、図１の中仕切りの縦仕切りの平面図である。
【図１５】図１５は、本考案の別の包装箱の中仕切りの縦仕切り板の斜視図である。
【図１６】図１６は、折りたたまれた状態の横仕切り板の第二仕切り片を展開する際の図１５の中仕切りの斜視図である。
【図１７】図１７は、本考案の別の包装箱の中仕切りの縦仕切り板の斜視図である。
【図１８】図１８は、図１７の縦仕切り板を用い、折りたたまれた状態の横仕切り板の第二仕切り片を展開する際の中仕切りの斜視図である。
【図１９】図１９は、本考案の別の包装箱の中仕切りの横仕切り板の平面図である。
【図２０】図２０は、図１９の横仕切り板を用い、折りたたまれた状態の横仕切り板の第二仕切り片を展開する際の中仕切りの斜視図である。
【図２１】図２１は、横仕切り板の第二仕切り片を展開し、使用状態となった図２０の中仕切りの斜視図である。
【図２２】図２２は、本考案の別の包装箱の中仕切りの縦仕切り板の斜視図である。
【図２３】図２３は、図２２の縦仕切り板を用い、折りたたまれた状態の横仕切り板の第二仕切り片を展開する際の中仕切りの斜視図である。
【図２４】図２４は、横仕切り板の第二仕切り片を展開し、使用状態となった図２３の中仕切りの斜視図である。
【図２５】図２５は、本考案の別の包装箱の中仕切りの横仕切り板の平面図である。
【図２６】図２６は、図２５の横仕切り板を用い、折りたたまれた状態の横仕切り板の第二仕切り片を展開する際の中仕切りの斜視図である。
【図２７】図２７は、横仕切り板の第二仕切り片を展開し、使用状態となった図２６の中仕切りの斜視図である。
【図２８】図２８は、本考案の別の包装箱の中仕切りの縦仕切り板の斜視図である。
【図２９】図２９は、図２８の縦仕切り板及び図１２及び図２５の横仕切り板を用い、折りたたまれた状態の横仕切り板の第二仕切り片を展開する際の中仕切りの斜視図である。
【図３０】図３０は、横仕切り板の第二仕切り片を展開し、使用状態となった図２９の中仕切りの斜視図である。
【図３１】図３１は、本考案の別の包装箱の中仕切りの横仕切り板の平面図である。
【図３２】図３２は、図３１の横仕切り板を用い、折りたたまれた状態の横仕切り板の第二仕切り片を展開する際の中仕切りの斜視図である。
【図３３】図３３は、従来の包装箱の中仕切りの斜視図である。
【考案を実施するための形態】
【００１６】
以下、本考案の包装箱の中仕切りについて、図面に示した実施の形態を用いて説明する。図１に示されるように、本考案の包装箱の中仕切り１は、図示しない段ボール箱等の包装箱に収納固定されて、仕切りによって区切られた各「区画」に、その上方から収納物を収納可能に構成されたものである。一般的には、包装箱は直方体状に形成されており、平面視矩形状に形成されえており、この矩形状のスペースに上方から中仕切り１を差し込み固定して使用する。包装箱内での中仕切り１の確実な固定のためには、平面視からみた包装箱の内壁に隙間なくしっかりと固定されるような縦横の幅に中仕切り１が設けられていることが重要である。また、各区画Ｋへの確実かつ円滑な収納物の収納のためには、包装箱に収納される中仕切り１の各部の高さもできるかぎり同じとされていることが望ましい。本例では中仕切り１も段ボール製である。また本例では、各区画に同一の収納物を収納することを前提としており、よって各区画の形状・大きさが同一になるように構成されているが、各区画を異なる形状・大きさとすることも可能である。
【００１７】
中仕切り１は、横仕切り板１０と縦仕切り板５０を備えている。横仕切り板１０と縦仕切り板５０は、図２及び図３に示されるように、別体に形成されており、これらが組付けられて中仕切り１を構成することになる。中仕切り１は、図４及び図５に示されるように、これを構成する横仕切り板１０が折りたたまれるとともに縦仕切り板５０と組付けられた状態で、図７に示されるように中仕切り１全体において折りたたむことが可能に構成されている。一方、図４及び図５に示された折りたたまれた状態の横仕切り板１０が縦仕切り板５０に組付けられた状態のまま、図８及び図９に示されるように第二仕切り片３０のみを展開し、そして図１０及び図１１に示されるようにそれぞれの区画Ｋを形成するように縦仕切り板５０に対して固定することができる。よって、底板４０、４１を介して横仕切り板１０の第一仕切り片２０と第二仕切り片３０とが縦仕切り板５０に対してそれぞれ固定されることにより、縦仕切り板５０に対して傾き難く、かつ歪み難く設けられるものである。
【００１８】
次いで、中仕切り１の詳細な構成について説明する。まず横仕切り板１０について説明する。図１２に示されるように、横仕切り板１０は全体が矩形状に形成されている。横仕切り板１０は、矩形状の第一仕切り片２０と、この第一仕切り片２０と同形状の第二仕切り片３０と、これらの第一仕切り片２０と第二仕切り片３０とを連設する底板４０、４１を有している。第一仕切り片２０と第二仕切り片３０とは、同一の幅に形成されており、平面視矩形状の包装箱内に取り付けられて固定された際に、第一仕切り片２０と第二仕切り片３０とのそれぞれが、平面視矩形状の包装箱内に、同様にしっかりと固定することができる。また第一仕切り片２０と第二仕切り片３０とは矩形状に形成されている。よって、直方体状の包装箱の平面状の内壁全体に対して、第一仕切り片２０と第二仕切り片３０はそれぞれ直線状の両側辺が、それぞれほぼ均一に両側辺のすべての部位に渡って接することができる。よって、横仕切り板１０の全体が包装箱の縦方向の全体に渡って確実に固定される。
【００１９】
また、第一仕切り片２０は、第一折り目線２２を介して底板４０、４１に対して折り曲げ自在に連設されている。また同様に、第二仕切り片３０は、第二折り目線３２を介して底板４０、４１に対して折り曲げ自在に連設されている。そして、第一折り目線２２と第二折り目線３２とは平行に形成されている。底板４０、４１は、横仕切り板１０の横方向（図８における横方向）全体に設けられてはおらず、横仕切り板１０の横方向の長さに対してそれぞれ約１／６の横方向の長さに形成されている。よって、これらの底板４０、４１間には、矩形状の空間１２が形成されている。底板４０、４１は空間１２を挟んで、横仕切り板１０の両端部に設けられているので、第一仕切り片２０及び第二仕切り片３０の両側において傾きや歪みを防止することができる。なお、本考案における折り目線には、「罫線」及び「半切れ線」を含む。
【００２０】
第一仕切り片２０には、空間１２側に開口され、第一折り目線２２に対して垂直方向に沿う直線状とされる第一切り欠き２４が形成されている。第一切り欠き２４は第一仕切り片２０の上下方向の中央まで形成されている。同様に、第二仕切り片３０には、空間１２側に開口され、第二折り目線３２に対して垂直方向に沿う直線状とされる第二切り欠き３４が形成されている。第二切り欠き３４も同様に第二仕切り片３０の上下方向の中央まで形成されている。なお、第一切り欠き２４、第二切り欠き３４は中央まで形成するもの以外でも良い。そして、これらの第一切り欠き２４と第二切り欠き３４は、図１３に示されるように横仕切り板１０が第一折り目線２２又は第二折り目線３２において折りたたまれた状態で、相互に少なくとも一部が直線状に重なり合う形状に設けられている。なお、本例では、第一切り欠き２４と第二切り欠き３４とは、第一折り目線２２と第二折り目線３２との中間の仮想線を挟んで対称となる位置に同形状に形成されている。また、第一切り欠き２４及び第二切り欠き３４の幅は、図４及び図５等に示されるように、縦仕切り板５０が挿嵌固定可能な幅に形成されている。
【００２１】
そして、このように形成された横仕切り板１０は、図１３に示されるように、第一折り目線２２において平板状となるように折りたたむことが可能に設けられている。なお本例では第一仕切り片２０及び第二仕切り片３０が同形状に形成されているので、第二折り目線３２において平板状となるように折りたたむことでも、中仕切り１を同様に組み付けることなどが可能である。一方、図２に示されるように、横仕切り板１０は、底板４０、４１に対して、それぞれ第一折り目線２２及び第二折り目線３２を介して折り曲げ、底板４０、４１に対してそれぞれ、第一仕切り片２０及び第二仕切り片３０が垂直となるように折り曲げることも可能に設けられている。なお、この仕切り板１０においては、２つの横仕切り板１０を用いている。
【００２２】
次いで縦仕切り板５０について説明する。縦仕切り板５０は、図３及び図１４に示されるように、横長の概ね矩形状に形成されている。縦仕切り板５０の左側辺５２、右側片５３（図１０における左右両側辺）は、縦仕切り板５０の底辺５４に対して垂直に形成されている。よって、一方、縦仕切り板５０の上辺５６は、後述する差し込み用切り欠き５８、６２、スライド支持片６０等が形成されている。
【００２３】
縦仕切り板５０の上辺５６には、図１４において左側から上辺５６の中央寄りにかけて順に、第一差し込み用切り欠き５８ａ、スライド支持片６０ａ、第二差し込み用切り欠き６２ａが形成されている。また、上辺５６には、これらと左右対称に、右側から上辺５６の中央寄りにかけて順に、第一差し込み用切り欠き５８ｂ、スライド支持片６０ｂ、第二差し込み用切り欠き６２ｂが形成されている。なお、これらは後述するように、左右対称に形成されるものに限られない。
【００２４】
第一差し込み用切り欠き５８ａ，５８ｂは、縦仕切り板５０の上下方向の中央まで底辺５４に対して垂直に直線状に形成されている。なお、切り欠き５８ａ，５８ｂは中央まで形成されるものに限られず、また垂直に形成されるものに限られない。第一差し込み用切り欠き５８ａ，５８ｂは、図４、５、図１３等に示されるように、折りたたまれた横仕切り板１０の第一仕切り片２０（より厳密には、第一仕切り片２０の第一切り欠き２４の先端より先の第一仕切り片２０の部位）が挿嵌固定可能な幅に形成されている。
【００２５】
図１４に示されるように、スライド支持片６０ａ，６０ｂは、第一差し込み用切り欠き５８ａ，５８ｂの上端付近から上辺５６の中央に向けてそれぞれ、その上端が下り傾斜となるように形成されている。より具体的には、スライド支持片６０ａ，６０ｂの上端は上辺５６の中央に向けて下り傾斜の円弧状に形成されている。このスライド支持片６０ａ、６０ｂの上端の円弧は、第一差し込み用切り欠き５８ａ、５８ｂから底辺５４に垂下した点を中心とした真円の一部と同形状とされている。スライド支持片６０ａ、６０ｂの上端は、縦仕切り板５０の上辺５６より僅かに低く形成されており、上辺５６から僅かに空間が設けられている。スライド支持片６０ａ，６０ｂの高さは、底板４０，４１のスライドが干渉されないようにするために底板４０，４１の長さに応じて十分な長さとされている。
【００２６】
そしてスライド支持片６０ａ，６０ｂの下端部には、縦仕切り板５０の上下方向のほぼ中央まで第二差し込み用切り欠き６２ａ，６２ｂが形成されており、その先端（下端）は、底辺５４に対して垂直に直線状に形成されている。第二差し込み用切り欠き６２ａ，６２ｂは、図１０及び図１１に示されるように、第二仕切り片３０（より厳密には、第二仕切り片３０の第二切り欠き３４の先端より先の第二仕切り片３０の部位）が挿嵌固定可能な幅に形成されている。第一差し込み用切り欠き５８ａよりも外側には第一上辺部６４が、第二差し込み用切り欠き６２ａ，６２ｂの間には第二上辺部６６が、第一差し込み用切り欠き５８ｂよりも外側には第三上辺部６８が設けられている。これらの第一上辺部６４、第二上辺部６６、第三上辺部６８の先端部は、底辺５４に対して平行に形成されている。なお、これらは底辺５４に対して平行なものに限られない。
【００２７】
また、横仕切り板１０の第一仕切り片２０及び第二仕切り片３０の上下方向と、縦仕切り板５０の上下方向の長さはほぼ同じく設けられている。また、第一折り目線２２から第二仕切り片３０の第二切り欠き３４の先端までは、縦仕切り板５０の上下方向の長さとほぼ同じ長さに形成されている。なお、これらは縦仕切り板５０の上下方向の長さとほぼ同じ長さのものに限られない。
【００２８】
上記のように構成された横仕切り板１０及び縦仕切り板５０は、以下のようにしてあらかじめ組付けて中仕切り１として保管等をしておく。横仕切り板１０は、図１３に示されるように、第一仕切り片２０と第二仕切り片３０とが一部重なるように第一折り目線２２において横仕切り板１０全体が平板状となるように折りたたむ。なお、本例では第一仕切り片２０と第二仕切り片３０とは、切り欠き２４，３４を含めて上下対称となる形状に形成されているので、第二折り目線３２において折りたたむこととしても支障は無い。本例では２つの横仕切り板１０を用意しておく。一方、縦仕切り板５０は１つのみ用いる。
【００２９】
このような２つの横仕切り板１０を、図４及び図５に示されるように、縦仕切り板５０の第一差し込み用切り欠き５８ａ、５８ｂに差し込む。この際に、上方に突出する第二仕切り板３０が縦仕切り板５０の内側に位置する向きで差し込む。差し込まれた横仕切り板１０は、第一仕切り片２０が第一切り欠き２４の先端が縦仕切り板５０の第一差し込み用切り欠き５８ａ、５８ｂの先端に当接するまで押し込まれる。この状態において、横仕切り板２０の第一仕切り片２０の先端と縦仕切り板５０の上辺５６とは同じ高さに位置することになる。
【００３０】
一方、折りたたまれている状態の横仕切り板１０の第二仕切り片３０は、縦仕切り板５０スライド支持片６０ａ，６０ｂの外側端部にそれぞれ嵌るようにして、スライド支持片６０ａ，６０ｂに挿嵌固定される。本例では、この状態において、第二仕切り片３０の第二切り欠き３４の先端は、縦仕切り板５０のスライド支持片６０ａ，６０ｂの上端とほぼ同じ高さに位置することになるとともに、スライド支持片６０ａ、６０ｂの上端との間に僅かな隙間が生ずる高さに位置することになる。
【００３１】
このようにして組付けられた中仕切り１は、２つの横仕切り板１０が折りたたまれた状態なので、図６中の矢印で示されるように、第一差し込み用切り欠き５８ａ、５８ｂを軸にして、折りたたまれた状態の横仕切り板１０をそれぞれ縦仕切り板５０に対して折りたたむことが可能である。そして、図７に示されるように、中仕切り１全体を平板状に折りたたむことにより、使用していない状態の中仕切り１の保管や搬送の際に、多くのスペースを必要としない。そしてさらに、中仕切り１全体を予め横仕切り板１０と縦仕切り板５０との組付け作業が終了した状態で平板状に折りたたむことが可能なので、収納物の収納作業の前に、組付け作業を必要とすることが無く、収納作業時における作業効率を向上させることができる。
【００３２】
次いで、このようにあらかじめ組付けられた中仕切り１の使用方法について説明する。まず最初に、図７のように折りたたまれていた中仕切りを、図４及び図５に示すように２つの横仕切り板１０を元に戻すように横方向に９０°回転させて展開する。次いで図８及び図９中の矢印に示されるように、折りたたまれた状態の横仕切り板１０の第二仕切り片３０をそれぞれ展開する。この際には、第一仕切り片２０は、縦仕切り板５０の第一差し込み用切り欠き５８ａ，５８ｂに固定されたままとする。よって、第二仕切り片３０は、ほぼ縦仕切り板５０の底辺５４上に位置する第一折り目線２２を支点として９０°回転されるようにして、縦仕切り板５０の第二差し込み用切り欠き６２ａ、６２ｂに差し込むようにスライドされる。前述したように、スライド支持片６０ａ、６０ｂの上端は、縦仕切り板５０の上辺５６より僅かに低く形成されており上辺５６から僅かに空間が設けられるように形成されている。また前述したように、スライド支持片６０ａ，６０ｂの上端は、第一差し込み用切り欠き５８ａ、５８ｂから底辺５４に垂下した点を中心とした真円の一部と同じ円弧状とされている。よって、第二仕切り片３０の第二切り欠き３４の先端は、スライド支持片６０ａ、６０ｂの上端に沿うように回転されながらも、スライド支持片６０ａ、６０ｂの上端に対して一定距離の空間を保持したまま回転させることが可能である。したがって、スライド支持片６０ａ，６０ｂに挿嵌されながらも、第二仕切り片３０の回転が規制されることは無い。
【００３３】
そして、図１０及び図１１に示されるように、縦仕切り板５０の第二差し込み用切り欠き６２ａ、６２ｂと横仕切り板１０の第二仕切り片３０の第二切り欠き３４とにより相互に挿嵌固定するようにして、縦仕切り板５０と第二仕切り片３０とを挿嵌固定する。
【００３４】
このようにして、図１、図１０、図１１等に示すような使用状態における中仕切り１が完成する。本例では、はめ込まれる包装箱の内壁との間に設けられるものも含めて、合計で１０の区画Ｋが設けられることになる。そして、この中仕切り１を、図示しない包装箱に差し込み、各区画Ｋに上方から収納物を収納する。また、包装箱と共に収納物を搬送後には、各区画Ｋから収納物を取り出す。そして、この収納物の収納・搬送・取り出し等を通じて、縦仕切り板５０の差し込み方向軸周りにおいて、各横仕切り板１０は第一仕切り片２０及び第二仕切り片３０が、第一差し込み用切り込み５８ａ、５８ｂ及び第二差し込み用切り欠き６２ａ、６２ｂの二か所において縦仕切り板５０に対して固定されている。すなわち、第一仕切り片２０が縦仕切り板５０の第一差し込み用切り欠き５８ａ、５８ｂと挿嵌固定され、第二仕切り片３０が縦仕切り板５０の第二差し込み用切り欠き６２ａ、６２ｂと挿嵌固定されて、横仕切り板１０が縦仕切り板５０に固定されている。そしてさらに、これらの第一仕切り片２０及び第二仕切り片３０が底板４０，４１によって連接されている。よって、中仕切り１の上方から見て、横仕切り板１０の第一仕切り板２０及び第二仕切り板３０は、本来は矩形状であるべき区画Ｋが変形するように縦仕切り板５０に対して傾くことが生じ難い。また同様の理由により、横仕切り板１０は、中仕切り１の上方から見て、本来は矩形状であるべき区画Ｋが変形するような歪みが生じ難い。
【００３５】
また、各区画Ｋの縦仕切り板５０と反対側の端部は開放されており、中仕切り１のいずれの部材も配置されていないので、中仕切り１が収納される包装箱の内壁との間のスペースを最大限に利用でき、区画Ｋを広く利用することができる。また、横仕切り板１０については、図３３に示される従来の中仕切り７０に比べると、僅かに底板４０，４１を追加する程度の材料で製造することができ、材料費を抑えることができる。
【００３６】
次いで、本考案の別の実施の形態の包装箱の中仕切り１ａについて説明する。図１５及び図１６に示されるように、この中仕切り１ａは、前記した中仕切り１と異なり、縦仕切り板５０ａにおいて、上辺５６ａの内側から外側に向かって順に、第一差し込み用切り欠き５８ａ、５８ｂ、スライド支持片６０ａ、６０ｂ、第二差し込み用切り欠き６２ａ、６２ｂがそれぞれ設けられているものである。そして、この中仕切り１ａにおいては、図１６に示されるように、横仕切り板１０の第二仕切り片３０を、縦仕切り板５０の底辺５４上に位置する第一折り目線２２を支点として回動されるようにして、中仕切り１とは逆に縦仕切り板５０の外側方向に向かってスライドさせるようにして、第二差し込み用切り欠き６２ａ、６２ｂに差し込むように構成されている。この中仕切り１ａにおいては、２つの横仕切り板１０は縦仕切り板５０ａの中央寄りの第一差し込み用切り欠き５８ａ、５８ｂに固定されている。したがって、横仕切り板１０と縦仕切り板５０とを組付けた状態で中仕切り１ａ全体を平板状に折りたたんだ際には、外側に位置する第一差し込み用切り欠き５８ａ、５８ｂに横仕切り板１０が組付けられている前記の中仕切り１よりも、中仕切り１ａの横方向の長さを短くすることができるので、中仕切り１ａの保管等に必要なスペースをより小さくすることが可能である。
【００３７】
次いで、本考案の別の実施の形態の包装箱の中仕切り１ｂについて説明する。図１７及び図１８に示されるように、この中仕切り１ｂは、前記した中仕切り１、１ａと異なり、縦仕切り板５０ｂにおいて、上辺５６の一側から他側に向かって順に、第一差し込み用切り欠き５８ａ、スライド支持片６０ａ、第二差し込み用切り欠き６２ａがそれぞれ設けられ、さらに順に第一差し込み用切り欠き５８ｂ、スライド支持片６０ｂ、第二差し込み用切り欠き６２ｂが設けられているものである。この中仕切り１ｂにおいては、図１８に示されるように、２つの横仕切り板１０の第二仕切り片３０を、縦仕切り板５０の底辺５４上に位置する第一折り目線２２を支点として回動されるようにして、中仕切り１ｂの他側方向に向かってスライドさせるようにして、第二差し込み用切り欠き６２ａ、６２ｂに差し込むように構成されている。
【００３８】
次いで、本考案の別の実施の形態の包装箱の中仕切り１ｃについて説明する。図１９から図２１に示されるように、この中仕切り１ｃは、前記した中仕切り１、１ａ、１ｂと異なり、横仕切り板１０ｃには、第一切り欠き２４及び第二切り欠き３４が２つずつ形成されており、これらに２つの縦仕切り板５０が組付けられるものである。本考案の中仕切りにおいては、例えばこのように第一切り欠き２４及び第二切り欠き３４の数、及び縦仕切り板５０の数を増やして、区画Ｋの数を増やすことができる。本例では、はめ込まれる包装箱の内壁との間に設けられるものも含めて、合計で１５の区画Ｋが設けられることになる。
【００３９】
次いで、本考案の別の実施の形態の包装箱の中仕切り１ｄについて説明する。図２２から図２４に示されるように、この中仕切り１ｄは、前記した中仕切り１、１ａ、１ｂ、１ｃと異なり、縦仕切り板５０ｄにおいて、中仕切り１等が備えている第二差し込み用切り欠き６２ａ、６２ｂの間の第二上辺部６６を省略し、上辺５６の中央に、１つの第二差し込み用切り欠き６２ｄを形成したものである。この中仕切り１ｄにおいては、図２４に示されるように、２つの横仕切り板１０のそれぞれの第二仕切り片３０は、この第二差し込み用切り欠き６２ｄに同じく差し込まれて固定される。よって、第二差し込み用切り欠き６２ｄの幅は、２枚の第二仕切り片３０が差し込み固定されるように、中仕切り１等の第二差し込み用切り欠き６２ａ、６２ｂの幅よりも、約２倍に大きく設けられている。そして本例では、はめ込まれる包装箱の内壁との間に設けられるものも含めて、合計で８の区画Ｋが設けられることになる。
【００４０】
次いで、本考案の別の実施の形態の包装箱の中仕切り１ｅについて説明する。図２５から図２７に示されるように、この中仕切り１ｅの横仕切り板１０ｅは、前記した中仕切り１、１ａ、１ｂ、１ｃの横仕切り板１０とは逆に、第一切り欠き２４ｅと第二切り欠き３４ｅとを第一仕切り片２０ｅと第二仕切り片３０ｅの先端側に形成したものである。これらの第一切り欠き２４ｅと第二切り欠き３４ｅは、第一仕切り片２０ｅと第二仕切り片３０ｅの先端側に開口されるとともに、それぞれ、第一仕切り片２０ｅと第二仕切り片３０ｅの上下方向の中央まで形成されている。そして、この横仕切り板１０ｅは、図２６に示されるように、下向きに向けられた縦仕切り板５０に対して、それぞれ下側から差し込まれて組付けられ、さらに第一仕切り片２０ｅを展開しながら縦仕切り板５０の第二差し込み用切り欠き６２ａ、６２ｂに差し込んで図２７に示されるように中仕切り１ｅの組み立てが完了する。
【００４１】
次いで、本考案の別の実施の形態の包装箱の中仕切り１ｆについて説明する。図２８から図３２に示されるように、この中仕切り１ｆは、前記した中仕切り１、１ａ、１ｂ、１ｃ、１ｄ、１ｅと異なり、図２８に示されるように、縦仕切り板５０ｆにおいて、上辺５６ｆに一つ目の第一差し込み用切り欠き５８ａ、スライド支持片６０ａ、第二差し込み用切り欠き６２ａがそれぞれ設けられ、さらに下辺５４ｆに二つ目の第一差し込み用切り欠き５８ｂ、スライド支持片６０ｂ、第二差し込み用切り欠き６２ｂが設けられているものである。そしてまた、図１２に示される上辺５６ｆに差し込まれる横仕切り板１０と、図２５に示されるように、下辺５４ｆに差し込まれる前述の横仕切り板１０ｅとを組み付けて構成される。よって、図２９に示されるように、縦仕切り板５０ｆに対して、上辺５６ｆ側に横仕切り板１０をあらかじめ組付け、一方、下辺５４ｆ側にあらかじめ横仕切り板１０ｅを組み付けておき、使用時には縦仕切り板５０ｆの上下においてそれぞれを展開して図３０に示されたような中仕切り１ｆを用いる。
【００４２】
次いで、本考案の別の実施の形態の包装箱の中仕切り１ｇについて説明する。図３１に示されるように、この中仕切り１ｇは、前記した中仕切り１、１ａ、１ｂ、１ｃ、１ｄ、１ｅ、１ｆと異なり、横仕切り板１０ｇには空間１２が設けられておらず、第一仕切り片２０ｇの第一切り欠き２４ｇと第二仕切り片３０ｇの第二切り欠き３４ｇとが一直線状に連設されており、底板４０ｇ及び底板４１ｇは、これらの第一切り欠き２４ｇと第二切り欠き３４ｇとを挟むようにして、それぞれが横仕切り板１０ｇの横方向の長さの約半分の長さに形成されている。そして、図３２に示されるように、使用時には、縦仕切り板５０に組み付けられた横仕切り板１０ｇの第二仕切り片３０ｇをスライドさせて展開してはめ込んで中仕切り１ｇを用いる。
【００４３】
本考案は、前述した実施の形態に限られるものではなく、本考案の主旨の範囲内で適宜変更することが可能である。区画Ｋの数は８から１５までの例を示したが、縦仕切り板５０及び横仕切り板１０の数を変更するなどして、種々の変更が可能である。前述の例のスライド支持片６０ａ、６０ｂの上端は、前述のように円弧状に形成されているが、第二仕切り片３０のスライドに支障が無ければ他の形状とすることでも良い。前述の例では中仕切りは段ボール製であるが、他の材質、例えばプラスチック製とすることでも良い。
【産業上の利用可能性】
【００４４】
本考案は、材質や収納物の種類に限られず、種々の包装箱の中仕切りに広く利用することができる。
【符号の説明】
【００４５】
１，１ａ〜１ｇ  中仕切り
１０，１０ｃ，１０ｅ，１０ｇ  横仕切り板
１２  空間
２０，２０ｅ，２０ｇ  第一仕切り片
２２  第一折り目線
２４，２４ｃ，２４ｇ  第一切り欠き
３０，３０ｅ，３０ｇ  第二仕切り片
３２  第二折り目線
３４，３４ｅ，３４ｇ  第二切り欠き
４０、４１，４０ｇ，４１ｇ  底板
５０，５０ａ，５０ｂ，５０ｄ，５０ｆ  縦仕切り板
５２  左側辺
５３  右側片
５４，５４ｆ  底辺
５６，５６ｄ，５６ｆ  上辺
５８ａ，５８ｂ  第一差し込み用切り欠き
６０ａ，６０ｂ  スライド支持片
６２ａ，６２ｂ，６２ｄ  第二差し込み用切り欠き
６４  第一上辺部
６６  第二上辺部
６８  第三上辺部
７０  中仕切り
７２  横仕切り板
７４  縦仕切り板
Ｋ  区画
【図１】
0003234743.tif 000003
【図２】
0003234743.tif 000004
【図３】
0003234743.tif 000005
【図４】
0003234743.tif 000006
【図５】
0003234743.tif 000007
【図６】
0003234743.tif 000008
【図７】
0003234743.tif 000009
【図８】
0003234743.tif 000010
【図９】
0003234743.tif 000011
【図１０】
0003234743.tif 000012
【図１１】
0003234743.tif 000013
【図１２】
0003234743.tif 000014
【図１３】
0003234743.tif 000015
【図１４】
0003234743.tif 000016
【図１５】
0003234743.tif 000017
【図１６】
0003234743.tif 000018
【図１７】
0003234743.tif 000019
【図１８】
0003234743.tif 000020
【図１９】
0003234743.tif 000021
【図２０】
0003234743.tif 000022
【図２１】
0003234743.tif 000023
【図２２】
0003234743.tif 000024
【図２３】
0003234743.tif 000025
【図２４】
0003234743.tif 000026
【図２５】
0003234743.tif 000027
【図２６】
0003234743.tif 000028
【図２７】
0003234743.tif 000029
【図２８】
0003234743.tif 000030
【図２９】
0003234743.tif 000031
【図３０】
0003234743.tif 000032
【図３１】
0003234743.tif 000033
【図３２】
0003234743.tif 000034
【図３３】
0003234743.tif 000035